(57)【特許請求の範囲】
【請求項１】
横方向の台形歪みを補正するためのデジタル処理を行う回路を有する投射型表示装置において、
映像を投影すべき信号として選択された入力映像信号の映像フォーマットを判別する判別手段と、
前記判別手段の判別結果に応じて、前記回路での前記台形歪みの補正範囲を制御する制御手段と
を備えたことを特徴とする投射型表示装置。
【請求項２】
請求項１に記載の投射型表示装置において、
映像を投影すべき信号として選択された入力映像信号がアナログＲＧＢ信号であるか否かを示す情報を入力するための操作手段
をさらに備えており、
前記判別手段は、前記入力映像信号から得た水平走査周波数及び前記操作手段での前記情報の入力結果に基づいて判別を行うことを特徴とする投射型表示装置。
【発明の詳細な説明】
【０００１】
【発明の属する技術分野】
本発明は、例えば液晶プロジェクタのような投射型表示装置に関する。
【０００２】
【従来の技術】
液晶プロジェクタからスクリーンに映像を投影する場合、図６に示すように液晶プロジェクタ２１をスクリーン２２に対して斜め上の位置に設置したり（例えば液晶プロジェクタ２１を天井に吊り下げたり）、あるいは逆に液晶プロジェクタをスクリーンに対して斜め下の位置に設置すると、そのままでは、図７Ａに例示するように、スクリーン上の画面２３に、画面の横サイズが画面上端から画面下端に向けて漸減または漸増する歪みである縦方向の台形歪みが生じてしまう（図７では液晶プロジェクタが斜め下の位置にある状態について示している）。
【０００３】
そこで、従来から液晶プロジェクタには、この縦方向の台形歪みを補正する機能が備えられている。この補正は、１フレーム分の映像データ中の個々の水平ラインのデータに対して、個別に補間処理や間引き処理などのデジタル処理を施すことによって行われる。すなわち、例えば液晶プロジェクタがスクリーンに対して斜め下の位置にあるときには、液晶プロジェクタをスクリーンと同じ高さの位置に設置して映像を投影したとすると図７Ｂに示すようにスクリーン上の画面２４の形状が図７Ａとは逆の形状の台形（画面の横サイズが画面上端から画面下端に向けて漸増するような形状）になるようなデジタル処理を、個々の水平ラインのデータに対して施す。
【０００４】
これにより、液晶プロジェクタをスクリーンに対して斜め下の位置に設置して映像を投影するときには、図７Ｃに示すように、スクリーン上の画面２５の形状が、縦方向の台形歪みが補正された形状になる。
【０００５】
【発明が解決しようとする課題】
ところで、家庭内などで液晶プロジェクタを使用する場合、スペースの都合で、図８に示すように液晶プロジェクタ２１をスクリーン２２に対して或る角度αだけ斜め左横または斜め右横の位置に設置する（例えば、スクリーンの正面には家具があるのでその家具の横に液晶プロジェクタを設置する）ことも少なくない。
【０００６】
このように液晶プロジェクタをスクリーンに対して斜め左横または斜め右横に設置して映像を投影するとき、そのままでは、図９Ａに例示するように、スクリーン上の画面２６に、画面の縦サイズが画面左端から画面右端に向けて漸増または漸減する歪みである横方向の台形歪みが生じてしまう（図９では液晶プロジェクタが斜め左横の位置にある状態について示している）。
【０００７】
この横方向の台形歪みを補正するためには、縦方向の台形歪みの補正の場合と同様に、液晶プロジェクタをスクリーンの正面の位置に設置して映像を投影したとするとスクリーン上の画面２７の形状が図９Ｂに示すように図９Ａとは逆の形状の台形（画面の縦サイズが画面左端から画面右端に向けて漸減するような形状）になるようなデジタル処理を施せばよい。
【０００８】
これにより、液晶プロジェクタをスクリーンに対して斜め左横の位置に設置して映像を投影するときには、図９Ｃに示すように、スクリーン上の画面２８の形状が、横方向の台形歪みが補正された形状になる。
【０００９】
ただし、縦方向の台形歪みの補正の場合には画面の横方向（画面サイズを変更すべき方向）と各水平ラインの方向とが一致するので個々の水平ラインのデータに対して個別にデジタル処理を施せばよいのに対して、横方向の台形歪みの補正の場合には、画面の縦方向（画面サイズを変更すべき方向）と各水平ラインの方向とが一致しないので、複数本の水平ライン分の映像データに対してまとめてデジタル処理を施すことが必要である。
【００１０】
すなわち、図１０に模式的に示すように、１フレーム中の各水平ラインＬ（１）〜Ｌ（ｎ）を扇状にカバーする各範囲ｅ（１）〜ｅ（ｍ）の映像データ（同図上段参照）に対してそれぞれまとめてデジタル処理を施すことにより、各範囲ｅ（１）〜ｅ（ｍ）の映像データがそれぞれ同じ水平ラインのデータとなるようにする（同図下段参照）ことが必要である。
【００１１】
そして、まとめてデジタル処理を施さなければならない水平ラインの本数（水平ラインの方向に対する図１０の範囲ｅ（１）〜ｅ（ｍ／２−１）, ｅ（ｍ／２＋１）〜ｅ（ｍ）の傾き）は、スクリーンに対する液晶プロジェクタの斜め横方向の設置角度（図８の角度α）が大きくなるほど増大する。
【００１２】
しかし、液晶プロジェクタ内においてフレームメモリから読み出された映像データに対してこうしたデジタル処理を施す回路では、一度に処理することのできるデータ量に限界があるので、まとめてデジタル処理を施すことのできる水平ラインの本数にも限界がある。
【００１３】
したがって、横方向の台形歪みの補正可能範囲（液晶プロジェクタをスクリーンに対して斜め横方向に設置しても横方向の台形歪みを補正することのできる最大の設置角度）には、この回路の処理能力からくる制約が存在する。
【００１４】
そして、近年の液晶プロジェクタではコンポジットビデオ信号, Ｓビデオ信号, コンポーネント信号, アナログＲＧＢ信号といった様々な映像フォーマットの映像信号を入力し、そのうちの所望の映像信号を選択して映像を投影することができるようになっているが、図１０の各範囲ｅ（１）〜ｅ（ｍ）の映像データのデータ量は、それぞれの映像フォーマットで同一ではない。
【００１５】
特に、アナログＲＧＢ信号では、一般に水平解像度が高いことや、静止画像を高精細に表示する必要があることなどから、各範囲ｅ（１）〜ｅ（ｍ）の映像データのデータ量が他の映像信号におけるよりも多くなっている。
【００１６】
そのため、アナログＲＧＢ信号の映像データに対して前述の回路でデジタル処理を施す場合には、コンポジットビデオ信号やＳビデオ信号やコンポーネント信号の映像データに対してデジタル処理を施す場合よりも、まとめてデジタル処理を施すことのできる水平ラインの本数が少なくなる（水平ラインの方向に対する図１０の範囲ｅ（１）〜ｅ（ｍ／２−１）, ｅ（ｍ／２＋１）〜ｅ（ｍ）の傾きの限界が小さくなる）。
【００１７】
その結果、アナログＲＧＢ信号の映像を投影する場合には、コンポジットビデオ信号やＳビデオ信号やコンポーネント信号の映像を投影する場合よりも、横方向の台形歪みの補正可能範囲が狭くなる。
【００１８】
ここで、操作者が横方向の台形歪みの補正のために操作パネルやリモートコントローラ上の操作キーで設定可能な液晶プロジェクタの斜め横方向の設置角度を、この最も狭い補正可能範囲であるアナログＲＧＢ信号の場合の補正可能範囲内の角度にすることもひとつの方法である。
【００１９】
そうすれば、液晶プロジェクタをスクリーンに対して斜め横方向に設置する角度をこの操作キーで設定可能な設置角度の範囲内にさえしておけば、どの映像フォーマットの映像信号を入力して映像を投影するときにも横方向の台形歪みを補正することができる。
【００２０】
しかし、そうした場合には、液晶プロジェクタをスクリーンに対して斜め横方向に設置しても横方向の台形歪みを補正することのできる角度が小さくなるので、家庭内などでの液晶プロジェクタの設置場所の制約が大きくなる。
【００２１】
本発明は、上述の点に鑑み、横方向の台形歪みを補正するためのデジタル処理を行う回路を有する液晶プロジェクタその他の投射型表示装置において、スクリーンに対して斜め横方向に設置しても横方向の台形歪みを補正することのできる角度を大きくすることを課題としてなされたものである。
【００２２】
【課題を解決するための手段】
この課題を解決するために、本出願人は、横方向の台形歪みを補正するためのデジタル処理を行う回路を有する投射型表示装置において、映像を投影すべき信号として選択された入力映像信号の映像フォーマットを判別する判別手段と、この判別手段の判別結果に応じてこの回路での台形歪みの補正範囲を制御する制御手段とを備えた投射型表示装置を提案する。
【００２３】
この投射型表示装置では、映像を投影すべき信号として選択された入力映像信号の映像フォーマットが判別され、その判別結果に応じて、横方向の台形歪みを補正するためのデジタル処理を行う回路での補正範囲が制御される。
【００２４】
このように横方向の台形歪みの補正範囲を映像フォーマットに応じて可変制御することにより、アナログＲＧＢ信号以外の映像信号の映像を投影する場合には、この回路の処理能力の範囲内で、アナログＲＧＢ信号の映像を投影する場合よりも横方向の台形歪みの補正範囲を広くすることができる。
【００２５】
したがって、アナログＲＧＢ信号以外の映像信号の映像を投影する場合に、投射型表示装置をスクリーンに対して斜め横方向に設置しても横方向の台形歪みを補正することのできる角度を大きくすることができる。
【００２６】
なお、この投射型表示装置において、一例として、映像を投影すべき信号として選択された入力映像信号がアナログＲＧＢ信号であるか否かを示す情報を入力するための操作手段をさらに備え、判別手段は、映像を投影すべき信号として選択された入力映像信号から得た水平走査周波数及びこの操作手段でのこの情報の入力結果に基づいて判別を行うことが好適である。
【００２７】
このように、映像を投影すべき信号として選択された入力映像信号から得た水平走査周波数だけでなく、操作者が入力したアナログＲＧＢ信号であるか否かを示す情報にも基づいて映像フォーマットを判別することにより、互いに水平走査周波数がほぼ等しいアナログＲＧＢ信号とコンポーネント信号とのうちのいずれか一方が映像を投影すべき信号として選択された場合にも、その信号がアナログＲＧＢ信号とコンポーネント信号とのうちのいずれであるかを正しく判別することができるようになる。
【００２８】
したがって、水平走査周波数がアナログＲＧＢ信号とほぼ等しいコンポーネント信号の映像を投影する場合にも、補正範囲を広くすることができるので、投射型表示装置を斜め横方向に設置しても横方向の台形歪みを補正することのできる角度を大きくすることができるようになる。
【００２９】
【発明の実施の形態】
以下、本発明を液晶プロジェクタに適用した例について、図面を用いて具体的に説明する。
【００３０】
図１は、本発明を適用した液晶プロジェクタ内の回路のうち本発明に関連する部分を示す。この液晶プロジェクタにそれぞれ別々の入力端子を介して外部から入力したコンポジットビデオ信号やＳビデオ信号は、ビデオ信号処理系１に送られる。ビデオ信号処理系１は、コンポジットビデオ信号やＳビデオ信号を処理してＲＧＢ信号を作成するものである。ビデオ信号処理系１には、コンポジットビデオ信号やＳビデオ信号から水平同期信号及び垂直同期信号を分離する同期分離回路２が含まれている。
【００３１】
他方、この液晶プロジェクタに共通の入力端子を介して外部から入力した（または、この液晶プロジェクタに設けられているスロットに挿入されたメモリースティック（小型メモリーカード）から入力した）コンポーネント信号またはアナログＲＧＢ信号は、同期信号処理回路３に送られる。同期信号処理回路３は、これらの信号を処理して、ＲＧＢ信号を出力したり水平同期信号及び垂直同期信号を生成したりするものである。
【００３２】
ビデオ信号処理系１から出力されたＲＧＢ信号は２入力１出力のセレクタ４の一方の入力端に送られ、同期信号処理回路３から出力されたＲＧＢ信号はこのセレクタ４のもう一方の入力端に送られる。
【００３３】
セレクタ４で選択されたＲＧＢ信号は、Ａ／Ｄ変換機５でデジタル変換された後、フレームメモリ６に記憶される。
【００３４】
フレームメモリ６から読み出された各水平ラインの映像データは、スケーラ７に送られる。スケーラ７は、縦方向の台形歪みや横方向の台形歪みを補正するためのデジタル処理を映像データに対して施す回路である。
【００３５】
スケーラ７での縦方向の台形歪みの補正は、図７を用いて説明したようにして行われる。
【００３６】
他方、スケーラ７での横方向の台形歪みの補正は、図９及び図１０を用いて説明したように、１フレーム中の各水平ラインＬ（１）〜Ｌ（ｎ）を扇状にカバーする各範囲ｅ（１）〜ｅ（ｍ）の映像データに対してそれぞれまとめてデジタル処理を施すことにより、各範囲ｅ（１）〜ｅ（ｍ）の映像データがそれぞれ同じ水平ラインのデータとなるようにして行われる。
【００３７】
スケーラ７内のレジスタ８には、スクリーンに対する液晶プロジェクタの斜め横方向の設置角度（図８の角度α）の範囲を±３０°として、この範囲内での設置角度毎に（例えば１°刻みや５°刻みといったような所定のピッチでの設置角度毎に）、その設置角度での横方向の台形歪みを補正するためにまとめてデジタル処理を施すべき範囲を具体的に特定する情報（図１０に模式的に示した各範囲ｅ（１）〜ｅ（ｍ）を具体的に特定する情報）が格納されている。
【００３８】
スケーラ７から出力された映像データは、ミキシング回路９でキャラクタジェネレータ（図示略）からのキャラクタデータを混合され、ガンマ補正回路１０でガンマ特性を補正され、Ｄ／Ａ変換器１１でアナログ変換された後、液晶パネルの駆動回路（図示略）に供給される。
【００３９】
ＣＰＵ１２は、液晶プロジェクタ内の各回路の制御を行う（図では、ＣＰＵ１２から各回路への制御ラインは、スケーラ７への制御ラインを除いて図示を省略している）。
【００４０】
ＲＯＭ１３には、ＣＰＵ１２が実行すべきプログラムが格納されている以外に、図２〜図４に示すように、複数種類の映像フォーマットとそれらの映像フォーマットの各々についてのスケーラ７での横方向の台形歪みの補正範囲の情報（レジスタ８内の情報に基づいて映像データに対してデジタル処理を施すことを許容する液晶プロジェクタの斜め横方向の設置角度の範囲の情報）とを対応させたテーブルが格納されている。
【００４１】
このテーブルでは、アナログＲＧＢ信号についての補正範囲は±９°となっていて狭いのに対し、コンポジットビデオ信号やＳビデオ信号やコンポーネント信号についての補正範囲は±３０°（一部では±２０°）でありアナログＲＧＢ信号におけるよりも広くなっている。なお、この補正範囲における「＋」, 「−」の角度はそれぞれ斜め左横方向, 斜め右横方向の設置角度を表す。
【００４２】
この±９°という補正範囲は、アナログＲＧＢ信号の映像を投影する場合のスケーラ７での横方向の台形歪みの補正可能範囲（スケーラ７の処理能力によって決まる補正可能範囲）内になっている。また、この±３０°（一部では±２０°）という補正範囲も、コンポジットビデオ信号やＳビデオ信号やコンポーネント信号の映像を投影する場合のスケーラ７での横方向の台形歪みの補正可能範囲内になっている。
【００４３】
この液晶プロジェクタの操作パネルやリモートコントローラには、図示は省略するが、映像を投影すべき信号として、コンポジットビデオ信号の入力端子, Ｓビデオ信号の入力端子, コンポーネント信号／アナログＲＧＢ信号の入力端子, メモリースティック用のスロットのうちのいずれかを介して入力されている映像信号を選択するための操作キー（「入力選択キー」と呼ぶ）や、台形歪みの補正のために液晶プロジェクタの設置角度を設定する（例えば１°刻みや５°刻みといったような所定のピッチで設定する）ための操作キー（「設置角度設定キー」と呼ぶ）などの各種の操作キーに加えて、入力選択キーで選択された入力映像信号がアナログＲＧＢ信号であるか否かを示す情報（入力設定情報）を設定するための操作キー（「入力設定キー」と呼ぶ）が設けられている。
【００４４】
また、この設置角度設定キーで横方向の台形歪みの補正のために設定可能な液晶プロジェクタの斜め横方向の設置角度は、ＲＯＭ１３内のテーブル（図２〜図４）において最も広い補正範囲である±３０°になっている。
【００４５】
ＣＰＵ１２には、操作パネルやリモートコントローラ上のこれらの操作キーの操作に基づく情報が送られる。
【００４６】
図５は、ＣＰＵ１２がこの入力選択キー及び入力設定キーの操作情報に基づいて定期的に（例えば数秒〜数十秒程度の期間毎に）実行する処理を示す。この処理では、まず、入力選択キーで現在選択されている入力映像信号から得た水平同期信号を所定時間カウントし、そのカウント結果に基づいてその水平同期信号の周波数を算出する（ステップＳ１）。
【００４７】
すなわち、入力選択キーで現在コンポジットビデオ信号やＳビデオ信号が選択されている場合（この場合には図１のセレクタ４ではビデオ信号処理系１から出力されたＲＧＢ信号が選択される）には、ビデオ信号処理系１内の同期分離回路２で分離された水平同期信号を所定時間カウントしてその水平同期信号の周波数を算出する。
【００４８】
他方、入力選択キーで現在コンポーネント信号／アナログＲＧＢ信号が選択されている場合（この場合には図１のセレクタ４では同期信号処理回路３から出力されたＲＧＢ信号が選択される）には、同期信号処理回路３で生成された水平同期信号を所定時間カウントしてその水平同期信号の周波数を算出する。
【００４９】
続いて、入力設定キーの入力設定情報から、入力選択キーで現在選択されている入力映像信号がアナログＲＧＢ信号であるか否を確認する（ステップＳ２）。
【００５０】
続いて、ステップＳ１での算出結果及びステップＳ２での確認結果に基づき、入力選択キーで現在選択されている入力映像信号の映像フォーマットが、ＲＯＭ１３内のテーブル（図２〜図４）におけるいずれの映像フォーマットと一致するかを判別する（ステップＳ３）。
【００５１】
すなわち、例えばステップＳ１で算出した水平同期信号の周波数が約１５．７３ｋＨｚである場合には、現在選択されている入力映像信号の映像フォーマットが、ＲＯＭ１３内のテーブルにおける名称「Ｖ６０」や「１５ｋ６０」の映像フォーマット（ｆＨ＝１５．７３４ｋＨｚのビデオ信号のフォーマット）（図２）と一致していると判別する。
【００５２】
また、例えばステップＳ１で算出した水平同期信号の周波数が約３１．４７ｋＨｚであってステップＳ２でアナログＲＧＢ信号であると確認した場合には、現在選択されている入力映像信号の映像フォーマットが、ＲＯＭ１３内のテーブルにおける名称「ＶＧＡ−１（ＶＧＡ３５０）」や「ＶＧＡ−２（ＴＥＸＴ）／ＶＥＳＡ７０」や「ＶＥＳＡ６０」の映像フォーマット（ｆＨ＝３１．４６９ｋＨｚのアナログＲＧＢ信号のフォーマット）（図２）と一致していると判別する。
【００５３】
また、例えばステップＳ１で算出した水平同期信号の周波数が約３１．４７ｋＨｚであってステップＳ２でアナログＲＧＢ信号ではないと確認した場合には、現在選択されている入力映像信号の映像フォーマットが、ＲＯＭ１３内のテーブルにおける名称「Ｐ．Ｃｏｍｐｏｎｅｎｔ４８０／６０ｐ」の映像フォーマット（ｆＨ＝３１．４７０ｋＨｚの倍速コンポーネント信号のフォーマット）（図３）と一致していると判別する。
【００５４】
続いて、ＲＯＭ１３内のテーブルにおいてステップＳ３で判別した映像フォーマットに対応している補正範囲を、レジスタ８内の情報に基づいて映像データに対してデジタル処理を施すことを許容する液晶プロジェクタの斜め横方向の設置角度の範囲として、スケーラ７に指示する（ステップＳ４）。
【００５５】
すなわち、ステップＳ３で名称「Ｖ６０」や「１５ｋ６０」の映像フォーマットと一致していると判別した場合には、レジスタ８内の情報に基づいて映像データに対してデジタル処理を施すことを許容する液晶プロジェクタの斜め横方向の設置角度の範囲として、±３０°をスケーラ７に指示する。
【００５６】
また、ステップＳ３で名称「ＶＧＡ−１（ＶＧＡ３５０）」や「ＶＧＡ−２（ＴＥＸＴ）／ＶＥＳＡ７０」や「ＶＥＳＡ６０」の映像フォーマットと一致していると判別した場合には、レジスタ８内の情報に基づいて映像データに対してデジタル処理を施すことを許容する液晶プロジェクタの斜め横方向の設置角度の範囲として、±９°をスケーラ７に指示する。
【００５７】
また、ステップＳ３で名称「Ｐ．Ｃｏｍｐｏｎｅｎｔ４８０／６０ｐ」の映像フォーマットと一致していると判別した場合には、レジスタ８内の情報に基づいて映像データに対してデジタル処理を施すことを許容する液晶プロジェクタの斜め横方向の設置角度の範囲として、±３０°をスケーラ７に指示する。
【００５８】
このステップＳ４が終わると、処理を終了する。
【００５９】
スケーラ７では、この図５の処理によって指示された補正範囲内で、前述の設置角度設定キーで設定された液晶プロジェクタの斜め横方向の設置角度に応じて、その設置角度での横方向の台形歪みを補正するためのデジタル処理を、フレームメモリ６から読み出された各水平ラインの映像データに対して施す。
【００６０】
次に、この液晶プロジェクタにおいて横方向の台形歪みが補正される様子について説明する。
【００６１】
操作者は、アナログＲＧＢ信号の映像を投影したい場合には、入力選択キーでアナログＲＧＢ信号を選択するとともに、入力設定キーでアナログＲＧＢ信号であることを示す情報を設定する。
【００６２】
すると、図５に示したＣＰＵ１２の処理により、補正範囲±９°がスケーラ７に指示される。
【００６３】
操作者が、例えば液晶プロジェクタをスクリーンに対して斜め左横方向に９°の角度で設置し、設置角度設定キーで設置角度を＋９°に設定して映像を投影すると、スケーラ７の処理により、横方向の台形歪みが補正される。
【００６４】
他方、操作者は、コンポジットビデオ信号, Ｓビデオ信号またはコンポーネント信号の映像を投影したい場合には、入力選択キーでコンポジットビデオ信号, Ｓビデオ信号またはコンポーネント信号を選択するとともに、入力設定キーでアナログＲＧＢ信号ではないことを示す情報を設定する。
【００６５】
すると、図５に示したＣＰＵ１２の処理により、補正範囲±３０°（一部では±２０°）がスケーラ７に指示される。
【００６６】
操作者が、例えば液晶プロジェクタをスクリーンに対して斜め左横方向に３０°（補正範囲が±２０°の映像信号については２０°）の角度で設置し、設置角度設定キーで設置角度を＋３０°（補正範囲が±２０°の映像信号については＋２０°）に設定して映像を投影すると、スケーラ７の処理により、横方向の台形歪みが補正される。
【００６７】
このように、この液晶プロジェクタによれば、コンポジットビデオ信号やＳビデオ信号やコンポーネント信号の映像を投影する場合には、スケーラ７の処理能力の範囲内で、アナログＲＧＢ信号の映像を投影する場合よりも横方向の台形歪みの補正範囲が広くなる。
【００６８】
したがって、コンポジットビデオ信号やＳビデオ信号やコンポーネント信号の映像を投影する場合に、スクリーンに対して液晶プロジェクタを斜め横方向に設置しても横方向の台形歪みを補正することのできる角度が大きくなっている。
【００６９】
これにより、家庭内などでの液晶プロジェクタの設置場所の制約が少なくなっている。
【００７０】
また、前述のｆＨ＝３１．４６９ｋＨｚのアナログＲＧＢ信号とｆＨ＝３１．４７０ｋＨｚの倍速コンポーネント信号との例のように、互いに水平走査周波数がほぼ等しいアナログＲＧＢ信号とコンポーネント信号とのうちのいずれか一方を映像を投影すべき信号として選択した場合にも、その信号がアナログＲＧＢ信号とコンポーネント信号とのうちのいずれであるかが正しく判別され、コンポーネント信号であるときには、アナログＲＧＢ信号の映像を投影する場合よりも横方向の台形歪みの補正範囲が広くなる。
【００７１】
したがって、水平走査周波数がアナログＲＧＢ信号とほぼ等しいコンポーネント信号の映像を投影する場合にも、スクリーンに対して液晶プロジェクタを斜め横方向に設置しても横方向の台形歪みを補正することのできる角度が大きくなっている。
【００７２】
なお、以上の例では、ＣＰＵ１２が図５の処理によってスケーラ７に指示した補正範囲を操作者に知らせるようにはなっていない。しかし、例えば、この補正範囲を表す文字のキャラクタデータをミキシング回路９で映像データに混合させることにより、スクリーンへの投影画像にこの補正範囲を表す文字がスーパインポーズして表示される（アナログＲＧＢ信号の映像を投影する場合には「±９°」の文字が表示され、コンポジットビデオ信号やＳビデオ信号やコンポーネント信号の映像を投影する場合には「±３０°」の文字（一部では「±２０°」の文字）が表示される）ようにしてもよい。
【００７３】
それにより、操作者が、液晶プロジェクタをスクリーンに対して斜め横方向に設置してもよい角度（横方向の台形歪みを補正することのできる角度）の上限や、設置角度設定キーで設定してもよい角度の上限を、映像フォーマット毎に簡単且つ正確に把握することができるようになる。
【００７４】
また、以上の例では液晶プロジェクタに本発明を適用しているが、液晶プロジェクタ以外の投射型表示装置であって横方向の台形歪みを補正するためのデジタル処理を行う回路を有するものにも本発明を適用してよい。
【００７５】
また、本発明は、以上の例に限らず、本発明の要旨を逸脱することなく、その他様々の構成をとりうることはもちろんである。
【００７６】
【発明の効果】
以上のように、本発明に係る投射型表示装置によれば、アナログＲＧＢ信号以外の映像信号の映像を投影する場合に、アナログＲＧＢ信号の映像を投影する場合よりも、投射型表示装置をスクリーンに対して斜め横方向に設置しても横方向の台形歪みを補正することのできる角度を大きくすることができるので、家庭内などでの投射型表示装置の設置場所の制約を少なくすることができるという効果が得られる。
【００７７】
また、水平走査周波数がアナログＲＧＢ信号とほぼ等しいコンポーネント信号の映像を投影する場合にも、補正範囲を広くすることができるので、投射型表示装置をスクリーンに対して斜め横方向に設置しても横方向の台形歪みを補正することのできる角度を大きくすることができるという効果が得られる。
【図面の簡単な説明】
【図１】本発明を適用した液晶プロジェクタ内の回路のうち本発明に関連する部分を示す図である。
【図２】図１のＲＯＭ内のテーブルを示す図である。
【図３】図１のＲＯＭ内のテーブルを示す図である。
【図４】図１のＲＯＭ内のテーブルを示す図である。
【図５】図１のＣＰＵが実行する処理を示すフローチャートである。
【図６】液晶プロジェクタの設置例を示す図である。
【図７】縦方向の台形歪み及びその補正の様子を示す図である。
【図８】液晶プロジェクタの設置例を示す図である。
【図９】横方向の台形歪み及びその補正の様子を示す図である。
【図１０】横方向の台形歪み補正のためのデジタル処理を模式的に示す図である。
【符号の説明】
１  ビデオ信号処理系、  ２  同期分離回路、  ３  同期信号処理回路、  ４セレクタ、  ５  Ａ／Ｄ変換器、  ６  フレームメモリ、  ７  スケーラ、  ８  レジスタ、  ９  ミキシング回路、  １０  ガンマ補正回路、  １１  Ｄ／Ａ変換器、  １２  ＣＰＵ、  １３  ＲＯＭ
【図１】
0003775256.tif 000002
【図２】
0003775256.tif 000003
【図３】
0003775256.tif 000004
【図４】
0003775256.tif 000005
【図５】
0003775256.tif 000006
【図６】
0003775256.tif 000007
【図７】
0003775256.tif 000008
【図８】
0003775256.tif 000009
【図９】
0003775256.tif 000010
【図１０】
0003775256.tif 000011